(57)【要約】【課題】簡易な構成で複数の内容を切り替えて表示することができ、限られたスペースであっても多くの情報を見やすく表示することができる表示部を備えた洗濯機を提供する。【解決手段】表示部４０を備えた洗濯機１において、表示部４０は、第１波長帯の光と、第２波長帯の光とを切り替えて照射可能な照明部４２と、第１選択表示層５０と第２選択表示層５２とが積層され照明部４２より第１波長帯の光及び第２波長帯の光のいずれか一方の光が照射される積層体４４とを備え、第１選択表示層５０は、第１波長帯の光を吸収し第２波長帯の光を透過する第１マスク領域５０ｂと第１波長帯及び第２波長帯の光を透過する第１透過領域５０ａを備え、第２選択表示層５２は、第２波長帯の光を吸収し第１波長帯の光を透過する第２マスク領域５２ｂと、第１波長帯及び第２波長帯の光を透過する第２透過領域５２ａを備える。【選択図】        図２
2016059563.tif 000002
【特許請求の範囲】
【請求項１】
表示部を備えた洗濯機において、
前記表示部は、第１波長帯の光と、第２波長帯の光とを切り替えて照射可能な照明部と、第１選択表示層と第２選択表示層とが積層され前記照明部より前記第１波長帯の光及び前記第２波長帯の光のいずれか一方の光が照射される積層体とを備え、
前記第１選択表示層は、前記第１波長帯の光を吸収し前記第２波長帯の光を透過する領域と前記第１波長帯及び前記第２波長帯の光を透過する領域を備え、
前記第２選択表示層は、前記第２波長帯の光を吸収し前記第１波長帯の光を透過する領域と、前記第１波長帯及び前記第２波長帯の光を透過する領域を備える洗濯機。
【請求項２】
前記第１選択表示層が有する前記第１波長帯及び前記第２波長帯の光を透過する領域は、洗い及びすすぎ運転の少なくとも一方を表示する形状をなし、
前記第２選択表示層が有する前記第１波長帯及び前記第２波長帯の光を透過する領域は、乾燥運転を表示する形状をなしている請求項１に記載の洗濯機。
【請求項３】
操作部を備えた操作パネルに前記表示部が設けられている請求項１又は２に記載の洗濯機。
【請求項４】
外箱に設けられ洗濯物出入口と、前記洗濯物出入口を開閉する蓋とを備え、
前記表示部が前記蓋に設けられていることを特徴とする請求項１又は２に記載の洗濯機。
【発明の詳細な説明】
【技術分野】
【０００１】
本発明の実施形態は洗濯機に関する。
【背景技術】
【０００２】
近年、洗濯機においては、操作に必要な情報や設定内容を表示する表示部を備えることが多くなっている（例えば、下記特許文献１参照）。
【０００３】
この種の洗濯機では、操作方法や見やすさなどの使い勝手を向上させるため表示部が大型化しており、表示部を使用者の見やすい位置に配設しにくいことがある。
【先行技術文献】
【特許文献】
【０００４】
【特許文献１】特開２００４−３５５３６８号公報
【発明の概要】
【発明が解決しようとする課題】
【０００５】
そこで、簡易な構成で複数の内容を切り替えて表示することができ、限られたスペースであっても多くの情報を見やすく表示することができるとともに、使用者の見やすい位置に配設することができる表示部を備えた洗濯機を提供することを目的とする。
【課題を解決するための手段】
【０００６】
本実施形態の洗濯機は、表示部を備えた洗濯機において、前記表示部は、第１波長帯の光と、第２波長帯の光とを切り替えて照射可能な照明部と、第１選択表示層と第２選択表示層とが積層され前記照明部より前記第１波長帯の光及び前記第２波長帯の光のいずれか一方の光が照射される積層体とを備え、前記第１選択表示層は、前記第１波長帯の光を吸収し前記第２波長帯の光を透過する領域と前記第１波長帯及び前記第２波長帯の光を透過する領域を備え、前記第２選択表示層は、前記第２波長帯の光を吸収し前記第１波長帯の光を透過する領域と、前記第１波長帯及び前記第２波長帯の光を透過する領域を備える。
【図面の簡単な説明】
【０００７】
【図１】本発明の一実施形態に係る洗濯機の斜視図である。
【図２】本発明の一実施形態に係る洗濯機の断面図である。
【図３】積層体の分解斜視図である。
【図４】本発明の一実施形態に係る洗濯機の電気構成を示すブロック図である。
【発明を実施するための形態】
【０００８】
以下、一実施形態について、図面を参照して説明する。
【０００９】
本実施形態の洗濯機１は、図１及び図２に例示するような回転軸を傾斜させた回転槽（回転ドラム）１１を備えるドラム式洗濯機であり、ほぼ矩形箱状の外箱３と、その下部に設けられた台板２とから外郭が構成されている。外箱３の前面部３ａには前上がりの傾斜状をなしており、そのほぼ中央部に円形の開口部からなる洗濯物出入口４が形成されている。外箱３の前面部３ａには、ヒンジを介して扉５が横方向に回動可能に設けられ、その扉５により洗濯物出入口４が開閉される。
【００１０】
外箱３の内部には、図２に示すように、前面が開口し後面が閉塞されたほぼ円筒状の水槽８が配設されている。この水槽８は、前面の開口部が洗濯物出入口４に連通するように、水槽８の軸方向が前後方向の横軸状態であって後下がりにやや傾斜した状態で台板２上に弾性支持機構９を介して弾性的に支持されている。
【００１１】
水槽８は、給水弁１６を介して水槽８の上部に設けられた給水口より水道水等の水が機外から供給され、水槽８の底部に設けられた排水口より排水弁１７を介して水槽８内の水を機外へ排水できるように構成されている。
【００１２】
水槽８の前面開口部８ａは、その前方に対向する洗濯物出入口４とベローズ１０によって水密状態で連結されている。また、水槽８は、前面の開口部や給水口や排水口以外に、前部の上面に吸気口（不図示）と、後部の背面の上部に排気口（不図示）が設けられている。
【００１３】
水槽８の内部には、前面が開口し後面が閉塞された円筒状の回転ドラム１１が回転可能に配設されている。回転ドラム１１は、その軸方向が前後方向の横軸状態であって後下がりにやや傾斜した状態で水槽８内に配設されている。回転ドラム１１の周壁には通水及び通風が可能な孔１２が多数形成されており、この孔１２によって回転ドラム１１の内部が水槽８と連通している。回転ドラム１１の前面開口部も洗濯物出入口４に連通しており、回転ドラム１１は洗濯物出入口４から投入される洗濯物を収容する。回転ドラム１１は、水槽８の背面に設けられたドラムモータ１３により回転駆動される。このような構成の回転ドラム１１は、洗い行程時には洗濯槽として、脱水行程時には脱水槽として、さらに乾燥運転時には乾燥槽として機能する。
【００１４】
洗濯物出入口４を開閉する扉５は、例えば、プラスチック製のリング状の枠体５ａと、枠体５ａの内部に設けられたガラス製の透光部５ｂとを備え、透光部５ｂを介して洗濯機の内外を光が透過するように構成されている。
【００１５】
そして、扉５の透光部５ｂには、ベローズ１０の取付穴４１に設けられた照明部４２とともに第１表示部４０を構成する積層体４４が設けられている。
【００１６】
照明部４２は、図２に示すように、赤色の波長帯（６２０〜７５０ｎｍ）の光と、青色の波長帯（４５０〜４９５ｎｍ）の光をそれぞれ独立して発光可能な赤色用光源４３Ｒと青色用光源４３Ｂを備えており、異なる波長帯の光を切り替えて照射する。赤色用光源４３Ｒ及び青色用光源４３Ｂは、例えば、発光ダイオードから構成されている。照明部４２から放出された青色の波長帯あるいは赤色の波長帯の光は、扉５の透光部５ｂに設けられた積層体４４に照射される。
【００１７】
図３に示すように、積層体４４は、赤色用光源４３Ｒ及び青色用光源４３Ｂから照射されるいずれの光も透過させる透明な樹脂（例えば、ポリエチレンテレフタレート）からなるシート状の基材層４６と、この基材層４６上に順次積層された遮光層４８、第１選択表示層５０及び第２選択表示層５２とから構成されている。遮光層４８、第１選択表示層５０及び第２選択表示層５２は、例えば、シルク印刷などによって基材層４６の上に形成されている。
【００１８】
遮光層４８は、赤色用光源４３Ｒ及び青色用光源４３Ｂから照射されるいずれの光も透過させる非遮光領域４８ａと、遮光性のある材料によって覆われた遮光領域４８ｂとを備える。本実施形態では、非遮光領域４８ａが、後述する第１選択表示層５０及び第２選択表示層５２に設けられた透過領域５０ａ、５０ｂの全体を覆うように設けられ、遮光領域４８ｂが、非遮光領域４８ａ以外の領域に設けられている。
【００１９】
なお、遮光領域４８ｂは、遮光性のある材料により形成され、好ましくは、積層体４４を設ける扉５の透光部５ｂと同色に着色され、これにより、積層体４４の略全体が透光部５ｂと同じ色をなしている。
【００２０】
また、遮光領域４８ｂは、完全に光を遮る場合に加え、僅かに光を透過する場合、例えば、第１選択表示層５０及び第２選択表示層５２でマスクされる光の透過率より低い程度の光を透過する場合も含めてもよい。
【００２１】
第１選択表示層５０は、第１透過領域５０ａと第１マスク領域５０ｂとを備える。第１透過領域５０ａは、照明部４２の赤色用光源４３Ｒ及び青色用光源４３Ｂから照射される青色の波長帯の光と赤色の波長帯の光をいずれも透過させる。この第１透過領域５０ａは、表示形状、例えば、「洗濯中」の文字をかたどった形状に形成され、その周囲を第１マスク領域５０ｂに囲まれている。
【００２２】
第１透過領域５０ａを取り囲む第１マスク領域５０ｂは、青色の波長帯及び赤色の波長帯のいずれか一方の波長帯（ここでは、赤色の波長帯）の光を吸収し、他方の波長帯（青色の波長帯）の光を透過させる。
【００２３】
第１選択表示層５０の上に積層される第２選択表示層５２は、第２透過領域５２ａと第２マスク領域５０ｂとを備える。第２透過領域５２ａは、照明部４２の赤色用光源４３Ｒ及び青色用光源４３Ｂから照射される青色の波長帯の光と赤色の波長帯の光をいずれも透過させる。この第２透過領域５２ａは、表示形状、例えば、「乾燥中」の文字をかたどった形状に形成され、その周囲を第２マスク領域５２ｂに囲まれている。
【００２４】
第２透過領域５２ａを取り囲む第２マスク領域５２ｂは、青色の波長帯及び赤色の波長帯のいずれか一方の波長帯（ここでは、青色の波長帯）の光を吸収し、他方の波長帯（赤色の波長帯）の光を透過させる。
【００２５】
なお、赤色用光源４３Ｒから出射される光のうち第１選択表示層５０の第１マスク領域５０ｂが吸収する光の波長帯の中心波長（例えば、６５０ｎｍ）の光の強度は、赤色用光源４３Ｒから出射される光のピーク波長における発光強度の８０％以上の強度を有していることが好ましい。また、赤色用光源４３Ｒから出射される光のうち第１マスク領域５０ｂが吸収する波長帯以外の光（例えば、６１０〜７５０ｎｍの波長帯以外の光）の強度は、赤色用光源４３Ｒから出射される光のピーク波長における発光強度の２０％以下の強度を有していることが好ましい。
【００２６】
また、青色用光源４３Ｂから出射される光のうち第２選択表示層５２の第２マスク領域５２ｂが吸収する光の波長帯の中心波長（例えば、４５０ｎｍ）の光の強度は、青色用光源４３Ｂから出射される光のピーク波長における発光強度の８０％以上の強度を有していることが好ましい。また、青色用光源４３Ｂから出射される光のうち第２マスク領域５２ｂが吸収する波長帯以外の光（例えば、４３０〜４８０ｎｍの波長帯以外の光）の強度は、青色用光源４３Ｂから出射される光のピーク波長における発光強度の２０％以下の強度を有していることが好ましい。
【００２７】
また、外箱３の前面部３ａの上方位置には、引き出し式の洗剤投入ケース７が設けられ、その洗剤投入ケース７の側方に操作表示パネル６が設けられている。この操作表示パネル６には、洗濯機の各種操作を設定する操作キー１４や、運転状況を表示する第２表示部１５が設けられている。
【００２８】
操作表示パネル６の裏面には、マイクロコンピュータを含んで構成される制御装置２０が設けられている。この制御装置２０は、図４に示すように、操作キー１４からの操作信号や各種センサの検出信号が入力されるようになっており、制御装置２０が有するメモリに予め記憶された制御プログラムに基づき、ドラムモータ１３、操作表示パネル６の第２表示部１５、給水弁１６、排水弁１７、第１表示部４０を制御する。
【００２９】
次に、上記構成の洗濯機１の動作の一例を説明する。
【００３０】
まず、洗濯機の概略的な動作について説明する。使用者により操作表示パネル６の操作ボタンが操作されて運転のコースが設定され、運転開始が指示されると、洗濯機は、設定された運転のコースに応じた洗濯運転、乾燥運転、或いはその両運転を続けて行う洗濯乾燥運転を実行する。
【００３１】
そして、洗濯運転中では、制御装置２０が、照明部４２に設けられた赤色用光源４３Ｒを点灯させて、赤色の波長帯の光を扉５の透光部５ｂに設けられた積層体４４に照射する。
【００３２】
積層体４４に照射された赤色の波長帯の光は、基材層４６を透過した後、遮光層４８の遮光領域４８ｂにおいて遮光されるため、非遮光領域４８ａを透過した光のみが遮光層４８から第１選択表示層５０に入射する。
【００３３】
第１選択表示層５０に入射した赤色の波長帯の光のうち、第１透過領域５０ａに入射した光はそのまま第１選択表示層５０を透過するが、第１マスク領域５０ｂに入射した赤色の波長帯の光は、第１マスク領域５０ｂによって吸収され第１選択表示層５０を透過できない。
【００３４】
これにより、第１選択表示層５０から出射される赤色の波長帯の光は、第１透過領域５０ａを透過した光だけとなる。第１透過領域５０ａは、「洗濯中」の文字をかたどった形状に形成されているので、第１透過領域５０ａから「洗濯中」をかたどった赤色の波長帯の光が出射される。
【００３５】
そして、第１選択表示層５０から出射された「洗濯中」をかたどった赤色の波長帯の光は第２選択表示層５２に入射するが、第２選択表示層５２を構成する第２透過領域５２ａは全ての波長帯の光を透過し、また、第２マスク領域５２ｂは青色の波長帯の光だけを吸収し他の波長帯の光を透過させる。そのため、第２選択表示層５２に入射した「洗濯中」をかたどった赤色の波長帯の光は、第２選択表示層５２をそのまま透過して積層体４４の外部へ出射され、「洗濯中」の文字をかたどった赤色の波長帯の光が積層体４４を設けた扉５の透光部５ｂに映し出される。
【００３６】
また、乾燥運転中では、制御装置２０が、照明部４２に設けられた青色用光源４３Ｂを点灯させて、青色の波長帯の光を扉５の透光部５ｂに設けられた積層体４４に照射する。
【００３７】
積層体４４に照射された青色の波長帯の光は、基材層４６を透過した後、遮光層４８の遮光領域４８ｂにおいて遮光されるため、非遮光領域４８ａを透過した光のみが遮光層４８から第１選択表示層５０に入射する。
【００３８】
第１選択表示層５０に入射した青色の波長帯の光は、第１選択表示層５０に設けられた第１透過領域５０ａ及び第１マスク領域５０ｂで吸収されず、第１選択表示層５０全面をそのまま透過し、第２選択表示層５２に入射する。
【００３９】
第２選択表示層５２に入射した青色の波長帯の光のうち、第２透過領域５２ａに入射した光はそのまま第２選択表示層５２を透過するが、第２マスク領域５２ｂに入射した青色の波長帯の光は、第２マスク領域５２ｂによって吸収され第２選択表示層５２を透過できない。
【００４０】
これにより、第２選択表示層５２から出射される青色の波長帯の光は、第２透過領域５２ａを透過した光だけとなる。第２透過領域５２ａは、「乾燥中」の文字をかたどった形状に形成されているので、第２透過領域５２ａから「乾燥中」をかたどった青色の波長帯の光が出射され、「乾燥中」の文字をかたどった青色の波長帯の光が積層体４４を設けた扉５の透光部５ｂに映し出される。
【００４１】
以上のような洗濯機１では、シート状の積層体４４に対して異なる波長帯の光を切り替えて照射ことで、異なる内容を切り替えて表示することができ、簡単な構成で限られたスペースに多くの情報を表示することができる。しかも、本実施形態では、電気配線が困難な位置であっても、照明部４２から出射された光を照射可能な位置に積層体４４を設けることで、使用者から見えやすい位置に簡単に情報を表示することができる。
【００４２】
また、本実施形態では、扉５の透光部５ｂと同色に着色された遮光層４８が積層体４４に設けられており、積層体４４の略全体が扉５の透光部５ｂと同じ色をなしているため、照明部４２が点灯しておらず第１表示部４０が動作していない状態において、扉５の透光部５ｂに設けられた積層体４４が目立ちにくく、意匠性を損ねることがない。
【００４３】
なお、本実施形態では、第１表示部４０を扉５に設ける場合について説明したが、本発明はこれに限定されず、例えば、操作表示パネル６に積層体４４を設け、該積層体４４に対して照明部４２から異なる波長帯の光を切り替えて照射することで、操作表示パネル６において異なる内容を切り替えて表示するように構成してもよい。
【００４４】
また、本実施形態では、回転槽１１が外箱3内で傾斜するように配置されたドラム式洗濯機に第１表示部４０を適用する例について説明したが、例えば、回転槽の回転軸を上下に向けた縦軸型の洗濯機に適用することもできる。
【００４５】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４６】
１…洗濯機、４…洗濯物出入口、５…扉、５ａ…枠体、５ｂ…透光部、６…操作表示パネル、８…水槽、８ａ…前面開口部、９…弾性支持機構、１０…ベローズ、１１…回転槽、１３…ドラムモータ、１４…操作キー、１５…第２表示部、１６…給水弁、１７…排水弁、２０…制御装置、４０…第１表示部、４１…取付穴、４２…照明部、４３Ｂ…青色用光源、４３Ｒ…赤色用光源、４４…積層体、４６…基材層、４８…遮光層、４８ａ…非遮光領域、４８ｂ…遮光領域、５０…第１選択表示層、５０ａ…第１透過領域、５０ｂ…第１マスク領域、５２…第２選択表示層、５２ａ…第２透過領域、５２ｂ…第２マスク領域
【図１】
2016059563.tif 000003
【図２】
2016059563.tif 000004
【図３】
2016059563.tif 000005
【図４】
2016059563.tif 000006